(57)【要約】【課題】消費者の個人情報を正確かつ豊富に収集して、新事業の企画や販売支援に利用できるようにすること。【解決手段】本発明では、上記課題を達成するために、携帯情報端末又は携帯電話機で商品情報の読み取りを指示すると、プライスカードが価格表示している商品の情報をプライスカードから携帯情報端末又は携帯電話機に渡すと同時に、携帯情報端末又は携帯電話機から携帯情報端末又は携帯電話機を所持する消費者の個人情報をプライスカードが受け取るようにしたものである。【選択図】なし【特許請求の範囲】
【請求項１】
プライスカードであって、
携帯情報端末又は携帯電話機で商品情報の読み取りを指示すると、プライスカードが価格表示している商品の情報を携帯情報端末又は携帯電話機に渡すと同時に、携帯情報端末又は携帯電話機から携帯情報端末又は携帯電話機を所持する消費者の個人情報を受け取ることを特徴とするプライスカード。
【請求項２】
携帯情報端末であって、
プライスカードに対して商品情報の読み取りを指示されると、プライスカードが価格表示している商品の情報を受け取ると同時に、携帯情報端末を所持している消費者の個人情報をプライスカードに渡すことを特徴とする携帯情報端末。
【請求項３】
携帯電話機であって、
プライスカードに対して商品情報の読み取りを指示されると、プライスカードが価格表示している商品の情報を受け取ると同時に、携帯電話機を所持している消費者の個人情報をプライスカードに渡すことを特徴とする携帯電話機。
【請求項４】
商品の情報と消費者の個人情報とを管理するコンピュータを備えるシステムであって、
コンピュータから商品の情報を請求項１記載のプライスカードに提供し、該プライスカードから消費者の個人情報をコンピュータに送ることを特徴とする情報管理システム。
【請求項５】
コンピュータを備えるシステムが実行する方法であって、
コンピュータは、商品の情報と消費者の個人情報とを管理し、
コンピュータから商品の情報を請求項１記載のプライスカードに提供し、該プライスカードから消費者の個人情報をコンピュータに送ることを特徴とする情報管理方法。
【発明の詳細な説明】
【０００１】
【発明の属する技術分野】
本発明は、プライスカード、携帯情報端末、携帯電話機、情報管理システム、及び情報管理方法に関する。
【０００２】
【従来の技術】
一般に、コンビニエンスストア（ＣＶＳ）などのＰＯＳレジスターには、客層キーと呼ばれるキー又は客層ボタンと呼ばれるボタンが付いている。
【０００３】
この客層キー又は客層ボタンは、年齢及び性別で区分けされており、レジで清算するとき、消費者の年齢及び性別をアルバイトの店員が見た目で判断して入力するものである。ここで入力されたデータは、コンビニチェーン本部のホストコンピュータ（サーバ）に集められて分析され、新商品の開発などに役立てられる。
【０００４】
【発明が解決しようとする課題】
しかしながら、消費者の年齢及び性別は、アルバイトの店員が見た目で判断するために、正確でない。
【０００５】
また、消費者の個人情報については、年齢及び性別が得られるだけであり、情報が少なすぎるのでデータ分析の精度も低い。
【０００６】
本発明は係る従来技術の欠点に鑑みてなされたもので、消費者の個人情報を正確かつ豊富に収集して、新事業の企画や販売支援に利用できるようにすることを課題とする。
【０００７】
【課題を解決するための手段】
本発明において上記の課題を達成するために、まず請求項１の発明では、プライスカードであって、
携帯情報端末又は携帯電話機で商品情報の読み取りを指示すると、プライスカードが価格表示している商品の情報を携帯情報端末又は携帯電話機に渡すと同時に、携帯情報端末又は携帯電話機から携帯情報端末又は携帯電話機を所持する消費者の個人情報を受け取ることを特徴とするプライスカードとしたものである。
【０００８】
また請求項２の発明では、携帯情報端末であって、
プライスカードに対して商品情報の読み取りを指示されると、プライスカードが価格表示している商品の情報を受け取ると同時に、携帯情報端末を所持している消費者の個人情報をプライスカードに渡すことを特徴とする携帯情報端末としたものである。
【０００９】
また請求項３の発明では、携帯電話機であって、
プライスカードに対して商品情報の読み取りを指示されると、プライスカードが価格表示している商品の情報を受け取ると同時に、携帯電話機を所持している消費者の個人情報をプライスカードに渡すことを特徴とする携帯電話機としたものである。
【００１０】
また請求項４の発明では、商品の情報と消費者の個人情報とを管理するコンピュータを備えるシステムであって、
コンピュータから商品の情報を請求項１記載のプライスカードに提供し、該プライスカードから消費者の個人情報をコンピュータに送ることを特徴とする情報管理システムとしたものである。
【００１１】
また請求項５の発明では、コンピュータを備えるシステムが実行する方法であって、
コンピュータは、商品の情報と消費者の個人情報とを管理し、
コンピュータから商品の情報を請求項１記載のプライスカードに提供し、該プライスカードから消費者の個人情報をコンピュータに送ることを特徴とする情報管理方法としたものである。
【００１２】
【発明の実施の形態】
以下に、本発明の一実施形態を説明する。
【００１３】
１．プライスカード
本発明のプライスカードは、携帯情報端末又は携帯電話機で商品情報の読み取りを指示すると、価格表示している商品の情報を携帯情報端末又は携帯電話機に渡すと同時に、携帯情報端末又は携帯電話機から携帯情報端末又は携帯電話機を所持する消費者の個人情報を受け取る。
【００１４】
本発明のプライスカードと携帯情報端末又は携帯電話機とは、例えば、アンテナとＩＣチップとをプライスカードに搭載し、他方携帯情報端末又は携帯電話機には質問器（リーダ／ライタ）を搭載することで実現される。アンテナはＩＣチップに内蔵されていても良い。このＩＣチップは、質問器（リーダ／ライタ）をアンテナに接近させると、質問器からの指令（命令）に応じて、非接触で、情報（データ）の読書き可能なメモリを有する。このメモリは、何度でもデータの読書きが可能なものが好ましい。
【００１５】
プライスカードに搭載されているＩＣチップには、価格表示する商品の情報が予め質問器によって書き込まれ記憶されている。他方、携帯情報端末又は携帯電話機には、予め携帯情報端末又は携帯電話機を所持している消費者の個人情報が入力され記憶されている。消費者が、携帯情報端末又は携帯電話機を、プライスカードに接近させて、携帯情報端末又は携帯電話機に商品情報の読み取りを指令すると、携帯情報端末又は携帯電話機に搭載されている質問器によって、そのプライスカードに搭載されているＩＣチップに記憶されている商品の情報が読み取られ、携帯情報端末又は携帯電話機に記憶されると同時に、携帯情報端末又は携帯電話機に記憶されている消費者の個人情報が、プライスカードに搭載されているＩＣチップに書き込まれる。
【００１６】
携帯情報端末又は携帯電話機に記憶された商品の情報は、消費者が自分の好きなように自分の好きな場所で利用できる。
【００１７】
商品の情報には、価格以外にも、例えば、カロリー等の栄養成分、料理方法、キャンペーン参加券、クーポーン券等がある。
【００１８】
２．情報管理システム
本発明の情報管理システムは、商品の情報と消費者の個人情報とを管理するコンピュータを備え、コンピュータから商品の情報をプライスカードに提供し、プライスカードから消費者の個人情報をコンピュータに送る。このコンピュータは、サーバと呼ばれるものであっても良いし、或いは端末と呼ばれるものであっても良い。また、いくつものコンピュータやネットワークを経由することで、商品の情報と消費者の個人情報とを管理するコンピュータから、プライスカードへ商品情報が提供されても良い。さらに、いくつものコンピュータやネットワークを経由することで、プライスカードから、商品の情報と消費者の個人情報とを管理するコンピュータに、消費者の個人情報が送られても良い。
【００１９】
プライスカードが、アンテナとＩＣチップとを搭載している場合に、本発明の情報管理システムの例を図１に示す。ここで、在庫管理端末は、質問器を搭載している。また、コンピュータは、商品の情報と消費者の個人情報とを管理する。
【００２０】
在庫管理端末は、コンピュータから商品の情報を送ってもらい、搭載している質問器によって、この商品の情報を、プライスカードが搭載しているＩＣチップに書き込む。ＩＣチップが、何度でもデータの読書き可能なメモリを有していれば、商品情報は、何度でも書き換えが可能である。
【００２１】
また在庫管理端末は、搭載している質問器によって、プライスカードが搭載しているＩＣカードから消費者の個人情報を読み取り、読み取った消費者の個人情報をコンピュータに送る。
【００２２】
３．ビジネスモデル
本発明によるビジネスモデルの例を図２に示す。このビジネスモデルも、プライスカードが、アンテナとＩＣチップとを搭載している場合であって、消費者が所持する携帯情報端末又は携帯電話機と流通業者の在庫管理端末とは、質問器を搭載している。
【００２３】
このビジネスモデルでは、各製造業者のコンピュータから、商品の情報が、サービス会社のコンピュータに集められ管理される。そして、サービス会社のコンピュータから、商品の情報が、各流通業者のコンピュータに送られる。さらに、流通業者の在庫管理端末は、流通業者のコンピュータから商品の情報を送ってもらい、搭載している質問器によって、この商品の情報を、プライスカードが搭載しているＩＣカードに書き込む。
【００２４】
消費者が、携帯情報端末又は携帯電話機を、店頭に置かれているプライスカードに接近させて、携帯情報端末又は携帯電話機に商品情報の読み取りを指令すると、携帯情報端末又は携帯電話機は、そのプライスカードから商品の情報を受け取ると同時に、携帯情報端末又は携帯電話機を所持している消費者の個人情報をプライスカードに渡す。
【００２５】
流通業者の在庫管理端末は、搭載している質問器によって、プライスカードが搭載しているＩＣカードから消費者の個人情報を読み取り、読み取った消費者の個人情報を流通業者のコンピュータに送る。流通業者のコンピュータは、消費者の個人情報を集約して、全情報をサービス会社のコンピュータに送る。サービス会社のコンピュータで、消費者の個人情報を管理及び分析して、分析データを、製造業者のコンピュータに送る。
【００２６】
製造業者は、分析データを、商品企画や販売企画に役立てる。
【００２７】
【発明の効果】
本発明は、流通業者及び製造業者にとって、消費者の個人情報を正確かつ豊富に収集して、新事業の企画や販売支援に利用できるという効果がある。
【００２８】
また本発明は、消費者とって、有用で豊富な商品情報が得られるという効果がある。
【図面の簡単な説明】
【図１】本発明システムの一例を説明する図。
【図２】本発明によるビジネスモデルの一例を説明する図。
【図１】
2004054831.tif 000002
【図２】
2004054831.tif 000003